Podtech/llm-jp-corpus-v4-ja_patent huggingface dataset:
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
被験体における肝炎の処置のための医薬の製造における、α-ケトアルカン酸のエステルまたはα-ケトアルカン酸のアミドの使用。
【請求項２】
肝炎が急性アルコール性肝炎または慢性アルコール性肝炎である、請求項１記載の使用。
【請求項３】
肝炎が化学薬品または薬物によって引き起こされる(case)、請求項１記載の使用。
【請求項４】
被験体が予防的に処置される、請求項１記載の使用。
【請求項５】
被験体がα-ケトアルカン酸のエステルを投与され、該α-ケトアルカン酸のエステルがC3〜C8の直鎖または分枝鎖のα-ケトアルカン酸のエステルである、請求項１記載の使用。
【請求項６】
α-ケトアルカン酸のエステルが、アルキル、アラルキル、アルコキシアルキル、カルボアルコキシアルキルまたはアセトキシアルキルのエステルである、請求項５記載の使用。
【請求項７】
α-ケトアルカン酸のエステルが、ピルビン酸エチル、ピルビン酸プロピル、ピルビン酸カルボキシメチル、ピルビン酸アセトキシメチル、ピルビン酸カルボエトキシメチルメチルおよびピルビン酸エトキシメチルからなる群より選択される、請求項５記載の使用。
【請求項８】
α-ケトアルカン酸のエステルが、α-ケト-酪酸エチル、α-ケト-ペンタン酸エチル、α-ケト-3-メチル酪酸エチル、α-ケト-4-メチルペンタン酸エチルおよびα-ケト-ヘキサン酸エチルからなる群より選択される、請求項５記載の使用。
【請求項９】
α-ケトアルカン酸のエステルがエチルエステルである、請求項５記載の使用。
【請求項１０】
α-ケトアルカン酸のエステルがピルビン酸のエステルである、請求項５記載の使用。
【請求項１１】
α-ケトアルカン酸のエステルがピルビン酸エチルである、請求項５記載の使用。
【請求項１２】
α-ケトアルカン酸のエステルが、リンゲルの等張生理食塩水中に含まれる、請求項５記載の使用。
【請求項１３】
α-ケトアルカン酸のエステルが生理学的に許容され得る担体中に含まれ、これが乳酸塩をさらに含有する、請求項５記載の使用。
【請求項１４】
生理学的に許容され得る担体が、生理学的に許容され得るエノール化剤をさらに含有する、請求項１３記載の使用。
【請求項１５】
生理学的に許容され得る担体が、カリウムイオンおよび／またはナトリウムイオンを含有するリンゲル等張生理食塩水である、請求項１３記載の使用。
【請求項１６】
α-ケトアルカン酸のエステルがグリセリルエステルである、請求項５記載の使用。
【請求項１７】
α-ケトアルカン酸エステルが、
下記の式：
【化１】
2007500752.tif 000001
（式中、各Rは、独立して、H、α-ケトアルカン酸基またはC1〜C3アシルであり、少なくとも１つのRがα-ケトアルカン酸基である）
で表されるリボシルエステルである、請求項５記載の使用。
【請求項１８】
α-ケトアルカン酸エステルが、
式(I)または(II)：
【化２】
2007500752.tif 000002
（式中、各Rは、独立して、H、α-ケトアルカン酸基またはC1〜C3アシルであり、少なくとも１つのRがα-ケトアルカン酸基である）
で示されるグルコシルエステルである、請求項５記載の使用。
【請求項１９】
α-ケトアルカン酸エステルがジヒドロキシアセトンエステルまたはチオールエステルである、請求項５記載の使用。
【請求項２０】
チオールエステルのチオール部分がシステインまたはホモシステインである、請求項１９記載の使用。
【請求項２１】
被験体がα-ケトアルカン酸のアミドの有効量を投与される、請求項１記載の使用。
【請求項２２】
α-ケトアルカン酸のアミドがピルブアミドである、請求項２１載の使用。
【請求項２３】
前記アミドがα-ケトアルカン酸のアミノ酸アミドである、請求項２１記載の使用。
【請求項２４】
アルコール性肝炎の処置のための医薬の製造における、ピルビン酸エチルの使用。
【請求項２５】
アルコール性肝炎が急性アルコール性肝炎または慢性アルコール性肝炎である、請求項２４記載の使用。
【誤訳訂正書】
【提出日】平成19年6月27日(2007.6.27)
【誤訳訂正１】
【訂正対象書類名】特許請求の範囲
【訂正対象項目名】請求項１
【訂正方法】変更
【訂正の内容】
【請求項１】
一般式（１ａ）および（１ｂ）
【化１】
2007500760.tif 000001
（ここで、Ａは独立して、水素またはフェニルを表し、残基Ｏ−Ｄ−ＯおよびＯ−Ｅ−Ｏはいずれか所望のジフェノレート残基を表し、ここで−Ｅ−および−Ｄ−は互いに独立して、６〜４０個のＣ原子を有する芳香族残基であり、この残基は任意に複素原子を含有する１以上の芳香族または縮環型芳香族核を含んでもよく、任意にＣ１〜Ｃ１２アルキル残基またはハロゲンで置換され、架橋要素として脂肪族残基、脂環族残基、芳香族核または複素原子を含有してもよく、ここで、残基Ｏ−Ｄ−ＯおよびＯ−Ｅ−Ｏの少なくとも一方は式Ｂ
【化２】
2007500760.tif 000002
の１，１−ビス−（４−ヒドロキシフェニル）シクロヘキサン残基に相当し、シクロヘキサン環に対して少なくとも単置換され、
ここで、ｎ１は１〜１０を意味し、記号Ｒは互いに独立していずれか所望の置換基を表し、ｋおよびｏは１〜４０００の整数を表し、ｏは１〜４０００の数を表し、ｍはｚ／ｏの分数を表し、ｎは（ｏ−ｚ）／ｏの分数を表し、ｚは１〜ｏの数を表す）
の線形ポリホルマールまたはコポリホルマール。
【誤訳訂正２】
【訂正対象書類名】明細書
【訂正対象項目名】００１６
【訂正方法】変更
【訂正の内容】
【００１６】
したがって、本発明は、光データ記憶媒体および医療物品を製造するための線形ポリホルマールまたはコポリホルマールの使用を提供し、また芳香族ビスフェノールに基づくコポリホルマール自身を提供するものであって、一般式（３ａ）および（３ｂ）による非限定的な例を用いて表される。
【化４】
2007500760.tif 000003
ここで、Ａは、水素またはフェニル、好ましくは水素を表し、残基Ｏ−Ｄ−ＯおよびＯ−Ｅ−Ｏはいずれか所望のジフェノレート残基を表し、ここで−Ｅ−および−Ｄ−は互いに独立して、６〜４０個のＣ原子、好ましくは６〜２１個のＣ原子を有する芳香族残基であり、この残基は任意に複素原子を含有する１以上の芳香族または縮環型芳香族核を含んでもよく、任意にＣ１〜Ｃ１２アルキル残基、好ましくはＣ１〜Ｃ８アルキル残基またはハロゲンで置換され、架橋要素として脂肪族残基、脂環族残基、芳香族核または複素原子、好ましくは脂肪族残基または脂環族残基を含有してもよく、ここで、残基Ｏ−Ｄ−ＯおよびＯ−Ｅ−Ｏの少なくとも一方は式Ｂ
【化５】
2007500760.tif 000004
の１，１−ビス（４−ヒドロキシフェニル）シクロヘキサン残基に相当し、シクロヘキサン環に対して少なくとも単置換され、
ここで、ｎ１は１〜１０、好ましくは１〜５、特に好ましくは１〜３、非常に特に好ましくは３を表し、記号Ｒは互いに独立していずれか所望の置換基、好ましくはアルキル、アルケニル、アリールまたはハロゲン残基、好ましくはアルキル残基、特に好ましくは１〜１０個の炭素原子を有するアルキル残基、非常に特に好ましくは１〜５個の炭素原子を有するアルキル残基、特に１〜３個の炭素原子を有するアルキル残基を表し、式Ｂの特に好適なこのような残基は、Ｒがメチルを表す場合のものであり、最も特別には記号Ｒが同じ残基を表す場合のものであり、かつ
ｋは１〜４０００、好ましくは２〜２０００、特に好ましくは２〜１０００および非常に特に好ましくは２〜５００および特に好ましくは２〜３００の整数を表し、ｏは１〜４０００、好ましくは１〜２０００、特に好ましくは１〜１０００および非常に特に好ましくは１〜５００および特に好ましくは１〜３００の数を表し、ｍはｚ／ｏの分数を表し、ｎは（ｏ−ｚ）／ｏの分数を表し、ｚは１〜ｏの数を表す。
【誤訳訂正３】
【訂正対象書類名】明細書
【訂正対象項目名】００１７
【訂正方法】変更
【訂正の内容】
【００１７】
本発明による線形ポリホルマールまたはコポリホルマールの非常に特に好ましい構造ユニットは、式（４ａ）および（４ｂ）の一般構造から誘導され、
【化６】
2007500760.tif 000005
ここで、大括弧内の式はジフェノレート残基を記載しており、ここでＲ１およびＲ２は、互いに独立して、Ｈ、線形または分岐Ｃ１〜Ｃ１８アルキルまたはアルコキシ残基、ハロゲン、例えばＣｌまたはＢｒ、または任意に置換されたアリールまたはアラルキル残基、好ましくはＨまたは線形または分岐Ｃ１〜Ｃ１２アルキル、特に好ましくはＨまたはＣ１〜Ｃ８アルキル残基および非常に特に好ましくはＨまたはメチルを示し、Ａは水素またはフェニル、好ましくは水素を示し、
Ｘは、単結合または−ＳＯ２−、−ＣＯ−、−Ｓ−、−Ｏ−、Ｃ１〜Ｃ６アルキレン、好ましくはＣ１〜Ｃ３アルキレンおよび特に好ましくはメチレン残基；Ｃ２〜Ｃ５アルキリデン、好ましくはＣ２〜Ｃ３アルキリデン残基；Ｃ５〜Ｃ６シクロアルキリデン、好ましくはシクロヘキシル残基を示し、これらはＣ１〜Ｃ６アルキル、好ましくはメチルまたはエチル残基、またはＣ６〜Ｃ１２アリーレン残基で置換されてもよく、さらに複素原子を含有する芳香族環と任意に縮環してもよく、ｐは１〜４０００、好ましくは２〜２０００、特に好ましくは２〜１０００および非常に特に好ましくは２〜５００および特に２〜３００の整数を表し、ｑはｚ／ｐの分数を表し、ｒは（ｐ−ｚ）／ｐの分数を表し、ｚは１〜ｐの数を表す。
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
ＳＡ−４５０３又はその塩若しくは溶媒和物、及び医薬的に許容可能な賦形剤を含む、神経変性疾患発症後の神経再生を容易にするために哺乳動物被験者を治療するための医薬組成物。
【請求項２】
神経再生の徴候について被験者を評価することを更に含む、請求項１に記載の医薬組成物。
【請求項３】
神経再生が機能回復によって証明される、請求項１又は２に記載の医薬組成物。
【請求項４】
機能回復が運動技能、認知技能、言語、知覚又は感覚機能の回復である、請求項３に記載の医薬組成物。
【請求項５】
機能回復が運動技能の回復である、請求項４に記載の医薬組成物。
【請求項６】
機能回復が認知技能の回復である、請求項４に記載の医薬組成物。
【請求項７】
神経再生が被験者の脳又は脊髄における構造変化によって証明される、請求項１又は２に記載の医薬組成物。
【請求項８】
神経再生の徴候が見られるまでＳＡ−４５０３を被験者に反復投与する、請求項１〜７のいずれか１項に記載の医薬組成物。
【請求項９】
ＳＡ−４５０３を毎日投与する、請求項８に記載の医薬組成物。
【請求項１０】
神経変性疾患が虚血性脳卒中、外傷性脳障害及び脊髄損傷から選択される、請求項１〜９のいずれか１項に記載の医薬組成物。
【請求項１１】
虚血性脳卒中、外傷性脳障害又は脊髄損傷後少なくとも２４時間に治療が開始される、請求項１０に記載の医薬組成物。
【請求項１２】
虚血性脳卒中、外傷性脳障害又は脊髄損傷後少なくとも４８時間に治療が開始される、請求項１０に記載の医薬組成物。
【請求項１３】
被験者を刺激環境に曝すことを更に含む、請求項１〜１２のいずれか１項に記載の医薬組成物。
【請求項１４】
哺乳動物被験者がヒトである、請求項１〜１３のいずれか１項に記載の医薬組成物。
【請求項１５】
ＳＡ−４５０３又はその塩若しくは溶媒和物、及び医薬的に許容可能な賦形剤を含む、神経変性疾患発症後の機能回復をもたらすようにヒトを治療するための医薬組成物。
【請求項１６】
神経変性疾患が、卒中、アルツハイマー病、糖尿病性末梢神経障害、がん治療によって誘発される神経障害、多発性硬化症、筋萎縮性側索硬化症、外傷性脳障害、脊髄損傷、ハンチントン病及びパーキンソン病から成る群より選択される、請求項１５に記載の医薬組成物。
【請求項１７】
神経変性疾患が虚血性脳卒中、脳溢血、加齢による脳神経機能の喪失、又は、脊髄の虚血による神経変性である、請求項１５に記載の医薬組成物。
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
式Ｉ：
【化１】
2007500740.tif 000001
［式中、
Ｒ1は水素、Ｃ1-6アルキル−Ｏ−Ｃ（＝Ｏ）−、場合により置換されたＣ1-6アルキル、場合により置換されたＣ3-6シクロアルキル、場合により置換されたＣ6-10アリール、場合により置換されたＣ2-9ヘテロシクリル、場合により置換されたＣ6-10アリール−Ｃ1-3アルキルおよび場合により置換されたＣ2-9ヘテロシクリル−Ｃ1-3アルキルから選択され;
Ｒ2およびＲ3は、独立して、水素、場合により置換されたＣ1-6アルキルおよび場合により置換されたＣ3-6シクロアルキルから選択され；そして
Ｒ4は場合により置換されたＣ3-6アルキル、場合により置換されたＣ3-8シクロアルキル、場合により置換されたＣ6-10アリール、場合により置換されたＣ2-9ヘテロシクリル、場合により置換されたＣ6-10アリール−Ｃ1-6アルキル、および場合により置換されたＣ2-9ヘテロシクリル−Ｃ1-6アルキルから選択される］
の化合物、その製薬上許容される塩、そのジアステレオマー、そのエナンチオマー、またはそれらの混合物。
【請求項２】
Ｒ1が水素、Ｃ1-6アルキル−Ｏ−Ｃ（＝Ｏ）−、場合により置換されたＣ1-6アルキル、および場合により置換されたＣ3-6シクロアルキルから選択され;
Ｒ2およひＲ3がエチルであり；そして
Ｒ4がフェニル、Ｃ3-5ヘテロシクリル、フェニル−Ｃ1-3アルキル、Ｃ3-5ヘテロシクリル−Ｃ1-3アルキル、Ｃ3-6シクロアルキル、およびＣ3-6シクロアルキル−Ｃ1-3アルキルから選択され、ここでＲ4は場合により、Ｃ1-6アルキル、ハロゲン化Ｃ1-6アルキル、−ＮＯ2、−ＣＦ3、Ｃ1-6アルコキシ、クロロ、フルオロ、ブロモおよびヨードから選択される１またはそれ以上の基で置換される、請求項１に記載の化合物。
【請求項３】
Ｒ1が水素、Ｃ1-6アルキル−Ｏ−Ｃ（＝Ｏ）−から選択され;
Ｒ2およひＲ3がエチルであり；そして
Ｒ4がフェニル−Ｃ1-3アルキル、Ｃ3-6シクロアルキル−Ｃ1-3アルキル、Ｃ3-6シクロアルキルおよびフェニルから選択される、請求項１に記載の化合物。
【請求項４】
Ｒ1が水素およびｔ−ブチル−Ｏ−Ｃ（＝Ｏ）−から選択され;
Ｒ2およひＲ3がエチルであり；そして
Ｒ4がフェニル、ベンジル、フェネチル、シクロペンチルおよびシクロヘキシルから選択される、請求項１に記載の化合物。
【請求項５】
以下から選択される化合物およびその製薬上許容される塩:
４−［［３−（ベンジルオキシ）フェニル］（ピペリジン−４−イリデン）メチル］−Ｎ,Ｎ−ジエチルベンズアミド；
Ｎ,Ｎ−ジエチル−４−［［３−（２−フェニルエトキシ）フェニル］（ピペリジン−４−イリデン）メチル］ベンズアミド；
４−［［３−（シクロペンチルオキシ）フェニル］（ピペリジン−４−イリデン）メチル］−Ｎ,Ｎ−ジエチルベンズアミド；
４−［［３−（シクロヘキシルオキシ）フェニル］（ピペリジン−４−イリデン）メチル］−Ｎ,Ｎ−ジエチルベンズアミド；
Ｎ,Ｎ−ジエチル−４−［（３−フェノキシフェニル）（ピペリジン−４−イリデン）メチル］ベンズアミド。
【請求項６】
医薬として使用するための、請求項１〜５のいずれか１項に記載の化合物。
【請求項７】
痛み、不安症または機能性胃腸障害の治療のための医薬の製造における、請求項１〜５のいずれか１項に記載の化合物の使用。
【請求項８】
請求項１〜５のいずれか１項に記載の化合物および製薬上許容される担体を含有する医薬組成物。
【請求項９】
式II
【化２】
2007500740.tif 000002
の化合物をＲ4−Ｘと反応させることを含む、式Ｉ
【化３】
2007500740.tif 000003
の化合物の製造方法。
上記式中、
Ｒ1はＣ1-6アルキル−Ｏ−Ｃ（＝Ｏ）−、場合により置換されたＣ1-6アルキルおよび場合により置換されたＣ3-6シクロアルキルから選択され；
Ｒ2およひＲ3はエチルであり；
ＸはＣｌ、Ｉ、Ｂｒ、ＯＴｆおよびＯＴｓから選択され；そして
Ｒ4はフェニル、Ｃ3-5ヘテロシクリル、フェニル−Ｃ1-3アルキル、Ｃ3-5ヘテロシクリル−Ｃ1-3アルキル、Ｃ3-6シクロアルキル、およびＣ3-6シクロアルキル−Ｃ1-3アルキルから選択され、ここでＲ4は、Ｃ1-6アルキル、ハロゲン化Ｃ1-6アルキル、−ＮＯ2、−ＣＦ3、Ｃ1-6アルコキシ、クロロ、フルオロ、ブロモおよびヨードから選択される１またはそれ以上の基で場合により置換される。
【請求項１０】
式III
【化４】
2007500740.tif 000004
の化合物をＲ4−ＯＨと反応させることを含む、式Ｉ
【化５】
2007500740.tif 000005
の化合物の製造方法。
上記式中、
Ｒ1はＣ1-6アルキル−Ｏ−Ｃ（＝Ｏ）−、場合により置換されたＣ1-6アルキルおよび
場合により置換されたＣ3-6シクロアルキルから選択され；
Ｒ2およびＲ3はエチルであり；
Ｌは−Ｓ（＝Ｏ）2−ＣＦ3、
【化６】
2007500740.tif 000006
【化７】
2007500740.tif 000007
および−Ｓ（＝Ｏ）2−ＣＨ3から選択され；そして
Ｒ4はフェニル、Ｃ3-5ヘテロシクリル、フェニル−Ｃ1-3アルキル、Ｃ3-5ヘテロシクリル−Ｃ1-3アルキル、Ｃ3-6シクロアルキルおよびＣ3-6シクロアルキル−Ｃ1-3アルキルから選択され、ここでＲ4は場合によりＣ1-6アルキル、ハロゲン化Ｃ1-6アルキル、−ＮＯ2、−ＣＦ3、Ｃ1-6アルコキシ、クロロ、フルオロ、ブロモおよびヨードから選択される１またはそれ以上の基で置換される。
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
溶剤、およびポリシルセスキオキサンであるシリコーン樹脂を組み合わせて、離型組成物を生成する工程と、
前記組成物を型に適用する工程と
を含み、前記溶剤が、式Ｒ（Ｒ２ＳｉＯ）ｘＳｉＲ３または（Ｒ２ＳｉＯ）ｙを有し、各Ｒはメチル基または官能基で置換されたメチル基であり、ｘは１から約２０までであり、ｙは３から約２０までであることを特徴とする方法。
【請求項２】
前記組成物を硬化させる工程をさらに含むことを特徴とする請求項１に記載の方法。
【請求項３】
前記組成物が、触媒、助溶剤またはその両方をさらに含むことを特徴とする請求項１に記載の方法。
【請求項４】
前記溶剤が、
ヘキサメチルジシロキサン、
ヘキサメチルシクロトリシロキサン、
１，１，１，３，５，５，５−ヘプタメチルトリシロキサン、
オクタメチルトリシロキサン、
オクタメチルシクロテトラシロキサン、
デカメチルテトラシロキサン、
デカメチルシクロペンタシロキサン、
ドデカメチルペンタシロキサン、
ドデカメチルシクロヘキサシロキサン、または
これらの２つ以上の組み合わせであることを特徴とする請求項１から３のいずれかに記載の方法。
【請求項５】
前記溶剤が、オクタメチルトリシロキサン、オクタメチルシクロテトラシロキサン、デカメチルテトラシロキサンまたはこれらの２つ以上の組み合わせであることを特徴とする請求項４に記載の方法。
【請求項６】
前記組成物が前記触媒を含み、前記触媒が、チタン化合物、二酢酸ジブチル錫またはこれらの組み合わせであることを特徴とする請求項３に記載の方法。
【請求項７】
前記組成物が、変性フュームドシリカ、界面活性剤、フルオロポリマー、ワックス、脂肪酸、脂肪酸塩、微細分散固体、乳化剤、殺生物剤、腐蝕防止剤またはこれらの２つ以上の組み合わせをさらに含むことを特徴とする請求項１に記載の方法。
【請求項８】
成形材料を前記型に導入する工程と、
前記材料を成形物品へと変形させる工程と、
前記物品を回収する工程と
をさらに含むことを特徴とする請求項１から７のいずれかに記載の方法。
【請求項９】
形状を規定する型であって、前記型はその表面上に離型組成物を塗布されており、前記離型組成物は、溶剤、ポリシルセスキオキサンであるシリコーン樹脂、ならびに任意選択的に触媒、助溶剤またはその両方を含み、前記溶剤が、式Ｒ（Ｒ２ＳｉＯ）ｘＳｉＲ３または（Ｒ２ＳｉＯ）ｙを有し、各Ｒはメチル基または官能基で置換されたメチル基であり、ｘは１から約２０までであり、ｙは３から約２０までであることを特徴とする型。
【手続補正２】
【補正対象書類名】明細書
【補正対象項目名】００４１
【補正方法】変更
【補正の内容】
【００４１】
結果によれば、ＶＭＳ流体またはＶＭＳと炭化水素溶剤の組み合わせに分散した離型コーティングだと、炭化水素溶剤のみを用いたものに比べて性能が大幅に改善されたことが分かる。
以下に、本発明の好ましい態様を示す。
［１］  溶剤、シリコーン樹脂、ゴムまたは流体、任意選択的に触媒、助溶剤またはその両方を含む組成物であって、前記溶剤が揮発性シロキサンであることを特徴とする組成物。
［２］  前記触媒、前記助溶剤またはその両方を含むことを特徴とする［１］に記載の組成物。
［３］  前記溶剤が、式Ｒ（Ｒ２ＳｉＯ）ｘＳｉＲ３または（Ｒ２ＳｉＯ）ｙを有し、各Ｒは独立して、１基当たり１〜約１０個の炭素原子を有する、アルキル基、アルコキシ基、フェニル基、フェノキシ基またはこれらの２つ以上の組み合わせであることを特徴とする［１］または［２］に記載の組成物。
［４］  前記溶剤が、ヘキサメチルジシロキサン、ヘキサメチルシクロトリシロキサン、２，５−ジクロロ−１，１，３，３，５，５−ヘキサメチルトリシロキサン、１，３−ジメチルテトラメトキシジシロキサン、１，１，１，３，５，５，５−ヘプタメチルトリシロキサン、３−（ヘプタフルオロプロピル）トリメチルシロキサン、オクタメチルトリシロキサン、オクタメチルシクロテトラシロキサン、デカメチルテトラシロキサン、デカメチルシクロペンタシロキサン、ドデカメチルペンタシロキサン、ドデカメチルシクロヘキサシロキサンまたはこれらの２つ以上の組み合わせであり、好ましくはオクタメチルトリシロキサン、オクタメチルシクロテトラシロキサン、デカメチルテトラシロキサンまたはこれらの２つ以上の組み合わせであることを特徴とする［１］、［２］または［３］に記載の組成物。
［５］  前記触媒が、チタン化合物、二酢酸ジブチル錫またはこれらの組み合わせであることを特徴とする［１］、［２］、［３］または［４］に記載の組成物。
［６］  前記シリコーン樹脂、ゴムまたは流体が、ポリオルガノシロキサン、好ましくはメトキシ末端ポリアルキルシロキサン、ヒドロキシ末端ポリジメチルシロキサンまたはこれらの２つ以上の組み合わせ、より好ましくはポリジメチルシロキサン、ポリメチルハイドロジェンシロキサン、ポリシルセスキオキサン、ポリトリメチルシロキサン、ポリジメチルシクロシロキサンまたはこれらの２つ以上の組み合わせであることを特徴とする［１］、［２］、［３］、［４］または［５］に記載の組成物。
［７］  変性フュームドシリカ、界面活性剤、フルオロポリマー、ワックス、脂肪酸、脂肪酸塩、微細分散固体、乳化剤、殺生物剤、腐蝕防止剤またはこれらの２つ以上の組み合わせをさらに含むことを特徴とする［６］に記載の組成物。
［８］溶剤、シリコーン樹脂またはシリコーンゴムまたはシリコーン流体、任意選択的に触媒、助溶剤または両方を組み合わせて、離型組成物を生成する工程と、前記組成物を型に適用する工程と、任意選択的に前記組成物を硬化させる工程とを含み、前記溶剤、前記シリコーン樹脂またはシリコーンゴムまたはシリコーン流体、前記触媒および前記助溶剤が［１］、［２］、［３］、［４］、［５］、［６］または［７］に記載のものと同じであることを特徴とする方法。
［９］  前記組成物を硬化させる工程をさらに含むことを特徴とする［８］に記載の方法。
［１０］  成形材料を前記型に導入する工程と、前記材料を成形物品へと変形させる工程と、前記物品を回収する工程とをさらに含むことを特徴とする［８］または［９］に記載の方法。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
以下の構造：
【化１】
2007500714.tif 000001
化合物、またはそれらの薬学的に受容可能な塩、溶媒和物またはエステルであって：
ここで、
Ｒ１、Ｒ２およびＲ３は、別個に、Ｈ、ＯＨ、ＯＲ４、Ｆ、Ｃｌ、Ｂｒ、ＮＨ２、ＮＨＲ４、（ＮＲ４）２、−ＣＯＯＨおよび−ＣＯＮＨ２からなる群から選択され、そして
Ｒ４は、別個に、Ｈ、−ＣＨ３、−Ｃ２Ｈ５、イソプロピルおよびノルマル−Ｃ３Ｈ７からなる群から選択される、
化合物。
【請求項２】
Ｒ１が、Ｂｒである、請求項１に記載の化合物。
【請求項３】
Ｒ２が、−ＯＭｅである、請求項１に記載の化合物。
【請求項４】
Ｒ３が、ＯＨである、請求項１に記載の化合物。
【請求項５】
請求項１に記載の化合物の単離し精製した形態。
【請求項６】
薬学的に受容可能なキャリアと組み合わせて、請求項１に記載の化合物の治療有効量を含有する、薬学的組成物。
【請求項７】
患者の生理学的な障害、症状または疾患を処置するための組成物であって、該組成物は、請求項１に記載の化合物の有効量を含み、ここで、該生理学的な障害、症状または疾患は、泌尿生殖器、心血管、脳血管または末梢血管の障害、狭心症、高血圧症、血管形成術後の再狭窄、動脈内膜切除、ステント導入、脳卒中、気道障害（例えば、アトピー関連のアレルギー状態）、肺性高血圧、虚血性心疾患、糖耐性障害、糖尿病またはそのいずれかの関連合併症、インシュリン抵抗性症候群、高血糖症、多嚢胞性卵巣症候群、糸球体障害、腎不全、腎炎、尿細管間質障害、自己免疫疾患、緑内障、腸運動、悪液質または癌からなる群から選択される、
組成物。
【請求項８】
前記生理学的な障害が、泌尿生殖器障害である、請求項７に記載の組成物。
【請求項９】
前記泌尿生殖器障害が、勃起不全である、請求項８に記載の組成物。
【請求項１０】
ｃＧＭＰレベルを上昇させる必要がある患者のｃＧＭＰレベルを高めるための組成物であって、請求項１に記載の化合物の有効量を含む、組成物。
【請求項１１】
勃起不全の治療を必要とする患者の勃起不全を処置するための組成物であって、請求項１に記載の化合物の有効量を含む、組成物。
【請求項１２】
以下の構造の化合物、またはそれらの薬学的に受容可能な塩、溶媒和物またはエステル：
【化２】
2007500714.tif 000002
【請求項１３】
請求項１２に記載の化合物の単離し精製した形態。
【請求項１４】
薬学的に受容可能なキャリアと組み合わせて、請求項１２に記載の化合物の治療有効量を含有する、薬学的組成物。
【請求項１５】
患者の生理学的な障害、症状または疾患を処置するための組成物であって、該組成物は、請求項１２に記載の化合物の有効量を含み、該生理学的な障害、症状または疾患は、泌尿生殖器、心血管、脳血管または末梢血管の障害、狭心症、高血圧症、血管形成術後の再狭窄、動脈内膜切除、ステント導入、脳卒中、気道障害（例えば、アトピー関連のアレルギー状態）、肺性高血圧、虚血性心疾患、糖耐性障害、糖尿病またはそのいずれかの関連合併症、インシュリン抵抗性症候群、高血糖症、多嚢胞性卵巣症候群、糸球体障害、腎不全、腎炎、尿細管間質障害、自己免疫疾患、緑内障、腸運動、悪液質または癌からなる群から選択される、
組成物。
【請求項１６】
前記生理学的な障害が、泌尿生殖器障害である、請求項１５に記載の組成物。
【請求項１７】
前記泌尿生殖器障害が、勃起不全である、請求項１６に記載の組成物。
【請求項１８】
ｃＧＭＰレベルを上昇させる必要がある患者のｃＧＭＰレベルを高めるための組成物であって、請求項１２に記載の化合物の有効量を含む、組成物。
【請求項１９】
勃起不全の治療を必要とする患者の勃起不全を処置するための組成物であって、請求項１２に記載の化合物の有効量を含む、組成物。
【請求項２０】
化合物Ｂの溶液を反応させる工程を包含する、請求項１２に記載の化合物を生成する方法であって：
【化３】
2007500714.tif 000003
該方法は、以下：
化合物Ｂを有機溶媒に溶解させる工程；
該溶液に塩基を加えて、約７〜約９のｐＨを得る工程；そして
該溶液を、約６〜約１２日間にわたって、約１５０℃〜約１７０℃の温度範囲まで加熱する工程
を包含する、方法。
【請求項２１】
ＮＨ４ＯＨの存在下にて化合物ＢのＥｔＯＨ溶液とＮＨ４Ｃｌ水溶液とを反応させることにより、請求項１２に記載の化合物を生成する方法であって：
【化４】
2007500714.tif 000004
該方法は、以下：
化合物ＢをＥｔＯＨおよび飽和ＮＨ４Ｃｌに溶解する工程；
該溶液にＮＨ４ＯＨを加えて、約８のｐＨを得る工程；そして
該溶液を、約９日間にわたって、約１６０℃まで加熱する工程
を包含する、方法。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
多価カチオンによって非共有結合性架橋された分子を含むマトリックスを含む組成物であって、前記非共有結合性架橋された分子が非ポリマー性であり、１個より多くのカルボキシ官能基を有し、そして少なくとも部分的な芳香族または複素芳香族特性を有する、前記組成物。
【請求項２】
請求項１に記載の組成物を含むカプセル化および徐放のための組成物であって、前記非共有結合性架橋された分子がホスト分子であり、そしてゲスト分子が上記マトリックス内にカプセル化されて、その後放出され得ることを特徴とする、前記組成物。
【請求項３】
薬物であるゲスト分子をさらに含む、請求項２に記載のカプセル化および徐放のための組成物。
【請求項４】
前記非共有結合性架橋された分子が、多価カチオンの存在下にある前に、水溶液中でクロモニックＭまたはＮ相のいずれかを形成可能である、請求項１に記載の組成物。
【請求項５】
前記非共有結合性架橋された分子が、以下の：
【化１】
2007500712.tif 000001
または
【化２】
2007500712.tif 000002
｛式中、
各Ｒ2は、独立して、いずれかの電子供与性基、電子求引性基および電子中性基から選択され、そして
Ｒ3は、Ｒ3の環内の窒素原子を通してトリアジン基に結合された、置換された、および未置換の芳香族複素環および複素環式環よりなる群から選択される｝
又はそのプロトン互変異性体又はそれらの塩を含む、請求項１に記載の組成物。
【請求項６】
前記ホスト分子が、以下の：
【化３】
2007500712.tif 000003
又はそのプロトン互変異性体又はそれらの塩を含み、ここで、Ｒ3がピリジンまたはイミダゾールから誘導された芳香族複素環を含む、請求項５に記載の組成物。
【請求項７】
多価カチオンによって非共有結合性架橋されたホスト分子を含む水不溶性マトリックスを含む粒子を含む粒状組成物であって、前記ホスト分子が非ポリマー性であり、１個より多くのカルボキシ官能基を有し、そして少なくとも部分的な芳香族または複素芳香族特性を有し、かつ上記粒子が、ゲスト分子がマトリックス内にカプセル化されて、その後放出され得ることを特徴とする、前記粒状組成物。
【請求項８】
前記粒子が、一価カチオンの水溶液中に溶解性であり、かつ前記粒子が５．０未満のｐＨを有する溶液中に実質的に溶解しない、請求項７に記載の粒状組成物。
【請求項９】
前記ホスト分子が２個のカルボキシ官能基を有し、かつ前記ホスト分子の少なくとも１個の前記カルボキシ官能基が芳香族官能基又は複素芳香族官能基に直接結合している、請求項７に記載の粒状組成物。
【請求項１０】
薬物であるゲスト分子をさらに含む、請求項７に記載の粒状組成物。
【請求項１１】
前記ホスト分子が、多価カチオンの存在下にある前に、水溶液中でクロモニックＭまたはＮ相のいずれかを形成可能である、請求項７に記載の粒状組成物。
【請求項１２】
前記ホスト分子が、以下の：
【化４】
2007500712.tif 000004
または
【化５】
2007500712.tif 000005
｛式中、
各Ｒ2は、独立して、いずれかの電子供与性基、電子求引性基および電子中性基から選択され、そして
Ｒ3は、Ｒ3の環内の窒素原子を通してトリアジン基に結合された、置換された、および未置換の芳香族複素環および複素環式環よりなる群から選択される｝
又はそのプロトン互変異性体又はそれらの塩を含む、請求項７に記載の粒状組成物。
【請求項１３】
前記ホスト分子が、以下の：
【化６】
2007500712.tif 000006
又はそのプロトン互変異性体又はそれらの塩を含み、ここで、Ｒ3がピリジンまたはイミダゾールから誘導された複素芳香族環を含む、請求項１２に記載の粒状組成物。
【請求項１４】
請求項８に記載の粒状組成物と液体とを含む医薬用懸濁製剤。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
以下の：
生理活性化合物；並びに
以下の：
【化１】
2007500713.tif 000001
または
【化２】
2007500713.tif 000002
｛式中、
各Ｒ2は、独立して、いずれかの電子供与性基、電子求引性基および電子中性基から選択され、そして
Ｒ3は、Ｒ3の環内の窒素原子を通してトリアジン基に結合された、置換された芳香族複素環、未置換の芳香族複素環、置換された複素環式環および未置換の複素環式環よりなる群から選択される｝又はそのプロトン互変異性体又はそれらの塩を含むトリアジン化合物；
を含む生理活性組成物。
【請求項２】
各Ｒ2が、独立して、以下の：水素、未置換のアルキル基、及びヒドロキシ、エーテル、エステル、スルホネートまたはハライド官能基によって置換されたアルキル基よりなる群から選択される、請求項１に記載の生理活性組成物。
【請求項３】
Ｒ3が、以下の：ピリジン、ピリダジン、ピリミジン、ピラジン、イミダゾール、オキサゾール、イソオキサゾール、チアゾール、オキサジアゾール、チアジアゾール、ピラゾール、トリアゾール、トリアジン、キノリンおよびイソキノリンよりなる群から誘導された芳香族複素環を含む、請求項１に記載の生理活性組成物。
【請求項４】
Ｒ3が、ピリジンまたはイミダゾールから誘導された芳香族複素環を含む、請求項３に記載の生理活性組成物。
【請求項５】
Ｒ3が、以下の：ピリジニウム−１−イル、４−（ジメチルアミノ）ピリジウム−１−イル、３−メチルイミダゾリウム−１−イル、４−（ピロリジン−１−イル）ピリジウム−１−イル、４−イソプロピルピリジニウム−１−イル、４−［（２−ヒドロキシエチル）メチルアミノ］ピリジニウム−１−イル、４−（３−ヒドロキシプロピル）ピリジニウム−１−イル、４−メチルピリジニウム−１−イル、キノリニウム−１−イル、４−第三級ブチルピリジニウム−１−イルおよび４−（２−スルホエチル）ピリジニウム−１−イルよりなる群から選択される、請求項４に記載の生理活性組成物。
【請求項６】
前記生理活性化合物が薬剤である、請求項１に記載の生理活性組成物。
【請求項７】
水及びクロモニックＭまたはＮ相を含む、請求項１に記載の生理活性組成物。
【請求項８】
以下の工程：
（ａ）生理活性化合物を提供する工程；
（ｂ）以下の：
【化３】
2007500713.tif 000003
または
【化４】
2007500713.tif 000004
｛式中、
各Ｒ2は、独立して、いずれかの電子供与性基、電子求引性基および電子中性基から選択され、そして
Ｒ3は、Ｒ3の環内の窒素原子を通してトリアジン基に結合された、置換された芳香族複素環、未置換の芳香族複素環、置換された複素環式環および未置換の複素環式環よりなる群から選択される｝又はそのプロトン互変異性体又はそれらの塩を含むトリアジン化合物を提供する工程；及び
（ｃ）前記生理活性化合物と、前記トリアジン化合物と、溶媒とを併合して組成物を形成し、該組成物中で溶解可能な上記生理活性化合物の量が、前記トリアジン化合物を含有しない同一の組成物中で溶解可能な上記生理活性化合物の量よりも多いことを特徴とする前記組成物を形成する工程；
を含む、生理活性組成物中の生理活性化合物の溶解性を増加させる方法。
【請求項９】
以下の工程：
（ａ）生理活性化合物を提供する工程；
（ｂ）以下の：
【化５】
2007500713.tif 000005
または
【化６】
2007500713.tif 000006
｛式中、
各Ｒ2は、独立して、いずれかの電子供与性基、電子求引性基および電子中性基から選択され、そして
Ｒ3は、Ｒ3の環内の窒素原子を通してトリアジン基に結合された、置換された芳香族複素環、未置換の芳香族複素環、置換された複素環式環および未置換の複素環式環よりなる群から選択される｝又はそのプロトン互変異性体又はそれらの塩を含むトリアジン化合物を提供する工程；及び
（ｃ）前記生理活性化合物と、前記トリアジン化合物と、溶媒とを併合して組成物を形成し、該組成物中の上記生理活性化合物の安定性が、前記トリアジン化合物を含有しない同一の組成物中の上記生理活性化合物の安定性よりも高いことを特徴とする前記生理活性組成物を形成する工程；
を含む、生理活性組成物中の生理活性化合物の安定性を増加させる方法。
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
支持層、前記支持層上に配置された疎水性レザボア及び前記疎水性レザボア中に配置された一定量のワーファリンを有し、前記レザボアが皮膚接触面を有するものである送達装置、を含んでなる、患者に対するワーファリンの経皮的投与のための送達システム。
【請求項２】
疎水性レザボア中のワーファリンの前記の量が前記ワーファリンの飽和濃度を超えず、そのために前記疎水性レザボアがワーファリンの結晶を実質的に含まない、請求項１のシステム。
【請求項３】
疎水性レザボアが約１〜３０重量％の範囲内のワーファリンを含む、請求項１のシステム。
【請求項４】
疎水性レザボアが約７〜２１重量％の範囲内のワーファリンを含む、請求項１のシステム。
【請求項５】
疎水性レザボア中の前記ワーファリンの溶解度が約０．１〜２２重量％の範囲内にある、請求項１のシステム。
【請求項６】
疎水性レザボア中の前記ワーファリンの溶解度が約２．０〜１５重量％の範囲内にある、請求項１のシステム。
【請求項７】
疎水性レザボアが第１の透過促進剤を含む、請求項１のシステム。
【請求項８】
第１の透過促進剤がグリセリン脂肪酸エステル、イソソルバイド脂肪酸エステル、蔗糖、ポリエチレングリコール；カプロイルラクチル酸；ラウレス−２；ラウレス−２アセテート；ラウレス−２ベンゾエート；ラウレス−３カルボン酸；ラウレス−４；ラウレス−５カルボン酸；オレス−２；グリセリルピログルタメートオレエート；グリセリルオレエート；Ｎ−ラウロイルサルコシン；Ｎ−ミリストイルサルコシン；Ｎ−オクチル−２−ピロリドン；ラウラミノプロピオン酸；ポリプロピレングリコール−４−ラウレス−２；ポリプロピレングリコール−４−ラウレス−５ジメチルラウラミド；ラウラミドジエタノールアミン（ＤＥＡ）、モノグリセリド（例えば、グリセロールモノラウレート（ＧＭＬ）、グリセロールモノオレエート（ＧＭＯ）又はグリセロールモノリノレエート、グリセリルモノカプリレート、グリセリルモノカプレート）、ラクテートエステル（例えば、ラウリルラクテート）、メチルラウレート、カプロイル乳酸、ラウラミドジエタノールアミン（ＬＤＥＡ）、メチルラウラミド、ポリエチレングリコール−４ラウリルエーテル（Ｌａｕｒｅｔｈ−４）、ラウリルピログルタメート（ＬＰ）、ソルビタンモノラウレート及びエタノールからなる群から選択される、請求項７のシステム。
【請求項９】
疎水性レザボアの前記皮膚接触面が実質的に接着性である、請求項１のシステム。
【請求項１０】
疎水性レザボアが接着性部材から形成されている、請求項１のシステム。
【請求項１１】
装置が前記疎水性レザボアの前記皮膚接触面上に配置された接着性層を含む、請求項１のシステム。
【請求項１２】
装置が前記疎水性レザボアの前記皮膚接触面上に配置された第１の速度制御膜を含み、そこで前記の第１の速度制御膜が皮膚接触面を有する、請求項１のシステム。
【請求項１３】
第１の速度制御膜の前記皮膚接触面が実質的に接着性である、請求項１２のシステム。
【請求項１４】
装置が透過促進剤のレザボアを含み、そこで透過レザボアがその中に第２の透過促進剤を配置されている、請求項７のシステム。
【請求項１５】
第２の透過促進剤が、グリセリン脂肪酸エステル、イソソルバイド脂肪酸エステル、蔗糖、ポリエチレングリコール；カプロイルラクチル酸；ラウレス−２；ラウレス−２アセテート；ラウレス−２ベンゾエート；ラウレス−３カルボン酸；ラウレス−４；ラウレス−５カルボン酸；オレス−２；グリセリルピログルタメートオレエート；グリセリルオレエート；Ｎ−ラウロイルサルコシン；Ｎ−ミリストイルサルコシン；Ｎ−オクチル−２−ピロリドン；ラウラミノプロピオン酸；ポリプロピレングリコール−４−ラウレス−２；ポリプロピレングリコール−４−ラウレス−５ジメチルラウラミド；ラウラミドジエタノールアミン（ＤＥＡ）、モノグリセリド（例えば、グリセロールモノラウレート（ＧＭＬ）、グリセロールモノオレエート（ＧＭＯ）又はグリセロールモノリノレエート、グリセリルモノカプリレート、グリセリルモノカプレート）、ラクテートエステル（例えば、ラウリルラクテート）、メチルラウレート、カプロイル乳酸、ラウラミドジエタノールアミン（ＬＤＥＡ）、ジメチルラウラミド、ポリエチレングリコール−４ラウリルエーテル（Ｌａｕｒｅｔｈ−４）、ラウリルピログルタメート（ＬＰ）、ソルビタンモノラウレート及びエタノールからなる群から選択される、請求項１４のシステム。
【請求項１６】
透過促進剤レザボアが約５〜２５重量％の範囲内の前記透過促進剤を含む、請求項１５のシステム。
【請求項１７】
透過促進剤レザボアが約１０〜２０重量％の範囲内の前記透過促進剤を含む、請求項１５のシステム。
【請求項１８】
装置が第２の速度−制御膜を含み、そこで前記第２の速度−制御膜が前記透過促進剤レザボアと前記疎水性レザボアの間に配置されている、請求項１４のシステム。
【請求項１９】
疎水性レザボアがポリウレタン、ポリシロキサン、ポリイソブチレン（ＰＩＢ）、ポリイソプレン、ポリブタジエン、エチレン／ビニルアセテート・コポリマー（ＥＶＡ）、ポリアクリレート、スチレン・ブロックコポリマー、スチレン−イソプレン−スチレン・ブロックコポリマー（ＳＩＳ）、スチレン−ブタジエン−スチレン・コポリマー（ＳＢＳ）、スチレン−エチレンブテン−スチレン・コポリマー（ＳＥＢＳ）及びそれらのジ−ブロック類似体からなる群から選択される物質から形成される、請求項１のシステム。
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
塩基性水性溶液中の少なくとも１種の脂肪酸、但し、該脂肪酸は、少なくとも８０重量％のステアリン酸および少なくとも５重量％のパルミチン酸を含むものである、と、少なくとも１種のアルカリ土類金属サルフェートとの反応生成物、を含んでなる、アルカリ土類金属ステアレート組成物。
【請求項２】
該脂肪酸が、８８重量％のステアリン酸および１０重量％のパルミチン酸を含むものである、請求項１に記載の組成物。
【請求項３】
該脂肪酸が、９０重量％のステアリン酸および８重量％のパルミチン酸を含むものである、請求項１に記載の組成物。
【請求項４】
該脂肪酸が、９３重量％のステアリン酸および５重量％のパルミチン酸を含むものである、請求項１に記載の組成物。
【請求項５】
アルカリ土類金属サルフェートが、硫酸マグネシウムおよび硫酸カルシウムからなる群から選択される、請求項１に記載の組成物。
【請求項６】
塩基性水性溶液中の少なくとも１種の脂肪酸、但し、該脂肪酸は、少なくとも８０重量％のステアリン酸および少なくとも５重量％のパルミチン酸を含むものである、と、硫酸マグネシウムとの反応生成物を含んでなる、ステアリン酸マグネシウム組成物。
【請求項７】
該脂肪酸が、８８重量％のステアリン酸および１０重量％のパルミチン酸を含むものである、請求項６に記載の組成物。
【請求項８】
該脂肪酸が、９０重量％のステアリン酸および８重量％のパルミチン酸を含むものである、請求項６に記載の組成物。
【請求項９】
該脂肪酸が、９３重量％のステアリン酸および５重量％のパルミチン酸を含むものである、請求項６に記載の組成物。
【請求項１０】
塩基性水性溶液を用意すること；
該塩基性水性溶液中に、少なくとも８０重量％のステアリン酸および少なくとも５重量％のパルミチン酸を含む少なくとも１種の脂肪酸を加入すること；および、
少なくとも１種のアルカリ土類金属サルフェートを加えてアルカリ土類金属ステアレート組成物を生成させること、
を含む、アルカリ土類金属ステアレート組成物の製法。
【請求項１１】
少なくとも１種のアルカリ土類金属サルフェートを加えた後、ｐＨをアルカリ性に調節することをさらに含む、請求項１０に記載の製法。
【請求項１２】
固−液分離を生起させて、アルカリ土類金属ステアレート組成物を回収することをさらに含む、請求項１０に記載の製法。
【請求項１３】
アルカリ土類金属が、マグネシウムおよびカルシウムからなる群から選択される、請求項１０に記載の製法。
【請求項１４】
塩基性水性溶液を用意すること；
該塩基性水性溶液中に、少なくとも８８重量％のステアリン酸および少なくとも１０重量％のパルミチン酸を含む少なくとも１種の脂肪酸を加入すること；および、
少なくとも１種のアルカリ土類金属サルフェートを加えてアルカリ土類金属ステアレート組成物を生成させること、
を含む、アルカリ土類金属ステアレート組成物の製法。
【請求項１５】
該少なくとも１種のアルカリ土類金属サルフェートを加えた後、ｐＨをアルカリ性に調節することをさらに含む、請求項１４に記載の製法。
【請求項１６】
固−液分離を生起させて、アルカリ土類金属ステアレート組成物を回収することをさらに含む、請求項１４に記載の製法。
【請求項１７】
アルカリ土類金属が、マグネシウムおよびカルシウムからなる群から選択される、請求項１４に記載の製法。
【請求項１８】
塩基性水性溶液を用意すること；
該塩基性水性溶液中に、少なくとも９０重量％のステアリン酸および少なくとも８重量％のパルミチン酸を含む少なくとも１種の脂肪酸を加入し、該塩基性水性溶液を、該少なくとも１種の脂肪酸が該塩基性水性溶液内で分散するに至る温度まで加熱すること；および、
少なくとも１種のアルカリ土類金属サルフェートを加えてアルカリ土類金属ステアレート組成物を生成させること、
を含む、アルカリ土類金属ステアレート組成物の製法。
【請求項１９】
該少なくとも１種のアルカリ土類金属サルフェートを加えた後、ｐＨをアルカリ性に調節することをさらに含む、請求項１８に記載の製法。
【請求項２０】
固−液分離を生起させて、アルカリ土類金属ステアレート組成物を回収することをさらに含む、請求項１８に記載の製法。
【請求項２１】
アルカリ土類金属が、マグネシウムおよびカルシウムからなる群から選択される、請求項１８に記載の製法。
【請求項２２】
塩基性水性溶液を用意すること；
該塩基性水性溶液を加熱すること；
該塩基性水性溶液中に、少なくとも９３重量％のステアリン酸および少なくとも５重量％のパルミチン酸を含む少なくとも１種の脂肪酸を加入し、該塩基性水性溶液を、該少なくとも１種の脂肪酸が該塩基性水性溶液内で分散するに至る温度まで加熱すること；
硫酸マグネシウム溶液を加入して、硫酸マグネシウムを該少なくとも１種の脂肪酸と反応させ、マグネシウムステアレート組成物を生成させること；および、
ｐＨをアルカリ性に調節すること；
を含む、マグネシウムステアレート組成物の製法。
【請求項２３】
ｐＨを９.０ないし９.５に調節する、請求項２２に記載の製法。
【請求項２４】
固−液分離を生起させて、マグネシウムステアレート組成物を回収することをさらに含む、請求項２２に記載の製法。
【請求項２５】
少なくとも１種の脂肪酸、但し、該脂肪酸はパルミチン酸に対して少なくとも１０：１重量比のステアリン酸を含み、かつ、水分総含量が６％以下である、の塩基性水性溶液と少なくとも１種のアルカリ土類金属サルフェートとの反応生成物を含んでなる、アルカリ土類金属ステアレート組成物。
【請求項２６】
該水分総含量が、１５％ないし１００％のジ水和物結晶水；１０％以下の自由水；および残余のモノ水和物を含んでなる、請求項２５に記載の組成物。
【請求項２７】
アルカリ土類金属サルフェートが、硫酸マグネシウムおよび硫酸カルシウムからなる群から選択される、請求項２５に記載の組成物。
【請求項２８】
塩基性水性溶液を用意すること；
該塩基性水性溶液中に、パルミチン酸に対して少なくとも１０：１重量比のステアリン酸を含み、かつ、水分総含量が６％以下である、少なくとも１種の脂肪酸を加入し、該塩基性水性溶液を、少なくとも１種の脂肪酸が該塩基性水性溶液内で分散するに至る温度まで加熱すること；および、
少なくとも１種のアルカリ土類金属サルフェートを加入して、アルカリ土類金属ステアレート組成物を形成させること；
を含む、アルカリ土類金属ステアレート組成物の製法。
【請求項２９】
該少なくとも１種のアルカリ土類金属サルフェートを加入した後、ｐＨを実質的に中性のｐＨに調節することをさらに含む、請求項２８に記載の製法。
【請求項３０】
固−液分離を生起させて、アルカリ土類金属ステアレート組成物を回収することをさらに含む、請求項２８に記載の製法。
【請求項３１】
６０℃を超えない温度で、該アルカリ土類金属ステアレート組成物を乾燥することをさらに含む、請求項２８に記載の製法。
【請求項３２】
アルカリ土類金属が、マグネシウムおよびカルシウムからなる群から選択される、請求項２８に記載の製法。
【請求項３３】
該脂肪酸の水分総含量が、１５％ないし１００％のジ水和物結晶水；１０％以下の自由水；および残余のモノ水和物を含んでなる、請求項２８に記載の製法。